(57)【要約】【課題】空気輸送される粉粒体を伸縮シュートを通して貯蔵タンクへ投入する際に伸縮シュートへの空気量を少なくできるようにする。【解決手段】伸縮可能な内筒９と外筒１１にて形成される二重筒構造の伸縮シュート６の内筒９の上端部にサイクロン２５の粉粒体出口２６を接続する。サイクロン２５に空気輸送ライン１を接続する。サイクロン２５の空気排出管２９を排気ライン３２を介し集塵機３１に接続する。外筒１１に接続した空気抜出ライン２２を排気ライン３２に接続する。空気輸送ライン１内を空気輸送される粉粒体２を、サイクロン２５で搬送用空気２７と分離させた後、伸縮シュート６の内筒９を通して輸送車両の貯蔵タンク４へ落下投入させる。投入される粉粒体２と置換される貯蔵タンク４内の空気８は、伸縮シュート６の内外筒間の空気抜出流路１２、空気抜出ライン２２を経て排気ライン３２へ導き、搬送用空気２７と一緒に集塵機３１で集塵処理させる。【選択図】図１
2005104696.tif 000002
【特許請求の範囲】
【請求項１】
粉粒体を通過させて貯蔵タンクへ投入させるようにする粉粒体通路と、該通路の外側に
貯蔵タンク内から排出される空気を通過させる空気抜出流路とを有する伸縮シュートの上
端部に、サイクロンの下端の粉粒体出口を接続するように設置し、且つ該サイクロンに空
気輸送ラインを接続して、粉粒体を搬送用空気より分離して伸縮シュート内を落下させる
ようにしたことを特徴とする空気輸送粉粒体積込装置。
【請求項２】
サイクロンに設けた空気排出管を排気ライン上の集塵機に接続し、貯蔵タンク内より搬
出される空気とともに搬送用空気を集塵処理するようにした請求項１記載の空気輸送粉粒
体積込装置。
【発明の詳細な説明】
【技術分野】
【０００１】
本発明は、空気輸送される粉粒体を貯蔵タンク付き輸送車両等の貯蔵タンクへ直接積み
込むために用いる空気輸送粉粒体積込装置に関するものである。
【背景技術】
【０００２】
たとえば、セメントプラントにおいては、焼成した粉粒体状のセメントを、タンクロー
リ等の貯蔵タンク付きの輸送車両によって搬送する場合がある。
【０００３】
このように、輸送車両に装備された貯蔵タンクへ粉粒体の積み込みを行なう場合に用い
る粉粒体積込装置は、受け入れ側となる輸送車両の貯蔵タンクの投入口の高さ位置が車両
ごとに異なるため、図２にその一例の概略を示す如く、空気輸送ライン１を通して空気輸
送される粉粒体２を受け入れて一旦貯留できるようにしてあるタンク３を、下方に貯蔵タ
ンク４付きの輸送車両が進入可能となる所要高さ位置に配置して、図示しない支持架台に
て支持させて設け、且つ上記タンク３の下端の開閉器５ａを備えた排出口５の下側に、上
下方向の長さ寸法を伸縮できるようにした伸縮シュート６を接続してなる構成として、伸
縮シュート６の長さ寸法を変えて該伸縮シュート６の下端の粉粒体排出口７の高さ位置を
調整することにより、上記輸送車両ごとの貯蔵タンク４の投入口４ａの高さ位置の変化に
対応できるようにしてある。
【０００４】
又、上記輸送車両の貯蔵タンク４へ粉粒体２を積み込むときには、投入される粉粒体２
と置換される上記貯蔵タンク４内の空気８を速やかに抜き出す必要があることから、上記
伸縮シュート６は、上下方向に伸縮でき且つ上端部を上記タンク３の排出口５に接続して
、該タンク３より受け入れた粉粒体２を内側の粉粒体通路１０を通して下方へ導いて粉粒
体排出口７となる下端開口部より排出させるようにしてある内筒９と、該内筒９の外周に
、内筒９の伸縮に追従して伸縮できるように取り付けた外筒１１とからなる二重筒構造と
してあり、上記タンク３の排出口５より内筒９内の粉粒体通路１０を通して導かれる粉粒
体２を、輸送車両の貯蔵タンク４へ落下投入するときに、該投入される粉粒体２と置換さ
れる上記貯蔵タンク４内の空気８を、上記内筒９と外筒１１との間に形成した空気抜出流
路１２を通して外部へ抜き出すことができるようにしてある。
【０００５】
上記伸縮シュート６の具体的構成としては、たとえば、以下のようなものが従来提案さ
れている。すなわち、上端部の内径よりも下端部の外径が小さくなるよう下方に向けて縮
径するコーン型の円筒体１３を、同軸心上に並ぶよう上下方向に多数配置して、該各円筒
体１３を、各々上端部外周の周方向所要間隔個所に突設してある支持片１４を介して上下
方向に延びるワイヤ１５の所要間隔個所に順次吊下げて内筒９を形成している。更に、粉
粒体排出口７となる内筒９の最下位置にある円筒体１３は、その外周に、外筒部材１６が
、図示しない放射方向の連結部材を介し一体に取り付けられて二重筒構造としてあり、外
筒部材１６には、上記外筒１１、たとえば、ベローズ構造として伸縮自在としてある外筒
１１の下端部が取り付けてある。又、上記外筒部材１６の外周部に設けたアーム部材１７
には、伸縮シュート６の上端部付近に支持部材１８を介し設置したウインチ１９のドラム
に巻き付けてあるワイヤ２０の先端部が接続してある。かかる構成により、上記ウインチ
１９にてワイヤ２０を巻き出すと、上記外筒部材１６と一体に内筒９の最下位置の円筒体
１３を自重により下降させて内筒９の全長、すなわち、伸縮シュート６の全長を、ワイヤ
１５が伸びきる寸法まで伸長させることができるようにしてある。一方、ウインチ１９に
てワイヤ２０を巻き取ることにより、上記外筒部材１６と一体に最下位置の円筒体１３を
引き上げ、ワイヤ１５に吊られた各円筒体１３を下から順に重ねるようにして該各円筒体
１３同士の間隔を縮めることで、内筒９の全長と一致する伸縮シュート６の全長を収縮さ
せることができるようにしてある（たとえば、特許文献１参照）。
【０００６】
なお、上記タンク３には、図示しない脱気装置を接続して、空気輸送ライン１を経て空
気輸送されてタンク３に受け入れられる粉粒体２を、脱気した状態でタンク３内に貯留で
きるようにしてある。２１は外筒の上端部に空気抜出ライン２２を介し接続した集塵機、
２３は上記集塵機２１の下流側に設けた集塵ファンである。
【０００７】
上記構成としてある粉粒体積込装置を用いて輸送車両の貯蔵タンク４へ粉粒体の積み込
みを行なう場合には、空気輸送ライン１を通して空気輸送される粉粒体２を、開閉器５ａ
により排出口５を閉じた状態のタンク３内へ受けて一旦貯留させると共に、該タンク３に
接続された脱気装置により上記タンク３内に貯留される粉粒体２を脱気させるようにして
おく。又、ウインチ１９によりワイヤ２０を巻き取った状態として伸縮シュート６の全長
を収縮させた状態としておく。この状態にて、上記タンク３の下方位置に輸送車両の貯蔵
タンク４の投入口（開口部）４ａが配置されると、ウインチ１９よりワイヤ２０を巻き出
して伸縮シュート６を伸長させ、該伸縮シュート６の下端の外筒部材１６を上記輸送車両
の貯蔵タンク４の投入口４ａに嵌合させるようにする。その後、集塵ファン２３を稼動さ
せた状態にて開閉器５ａを操作してタンク３の排出口５を開放させ、タンク３内に貯留さ
れている粉粒体２を、上記排出口５より伸縮シュート６の内筒１０内に形成してある粉粒
体通路１０へ導き、該粉粒体通路１０を経て輸送車両の貯蔵タンク４内へ落下投入させる
ようにする。この際、落下投入される粉粒体２と置換される上記貯蔵タンク４内の空気８
は、伸縮シュート６の最下位置の円筒体１３と外筒部材１６との間を通して内外筒間に形
成してある空気抜出流路１２へ抜き出された後、該空気抜出流路１２内にて上方へ導かれ
、その後、空気抜出ライン２２を通して集塵機２１に導かれ、含まれる粉粒体２のダスト
を集塵してクリーンな空気としてから外部へ排出させられることになる。
【０００８】
なお、上記伸縮シュート６の内筒９としては、図２に示した如く、ワイヤ１５に吊られ
たコーン型の円筒体１３同士の間隔を変化させることで全長を伸縮できるようにした形式
のものに代えて、図３に示す如く、順次径の異なる多数の円筒２４を、内外方向に隣接す
る円筒２４同士が軸心方向にスライドできるように繋いだ構成として、この内外方向に隣
接する円筒２４同士のスライド量を変化させることで全長を伸縮できるようにしたテレス
コピック形式の内筒９ａも従来提案されている（たとえば、特許文献２参照）。
【０００９】
【特許文献１】特開平８−３０１４１７号公報
【特許文献２】特開平１１−７９４１５号公報
【発明の開示】
【発明が解決しようとする課題】
【００１０】
ところが、上記従来の粉粒体積込装置では、輸送車両の貯蔵タンク４への積み込みを行
なう位置の上方に、空気輸送される粉粒体２を一旦貯留するためのタンク３を設けなけれ
ばならず、したがって、該タンク３の設置位置の下方でしか粉粒体２の積み込み作業を行
うことができないというのが実状である。又、上記タンク３には、脱気装置等を付設しな
ければならないという問題もある。
【００１１】
そのために、空気輸送される粉粒体２を、上記タンク３へ一旦貯留することなく輸送車
両の貯蔵タンク４へ直接積み込むことができるようにして、上記タンク３を省略できるよ
うにすることが望まれていた。
【００１２】
このように、上記タンク３を省略できるようにするための手法としては、たとえば、図
２に示したと同様の伸縮シュート６を、輸送車両への積み込みを行なう位置の上方に、上
端部を図示しない固定部側に固定した状態で設置すると共に、該伸縮シュート６の内筒９
の上端部に、粉粒体２の空気輸送ライン１を直接接続するようにすることが考えられる。
【００１３】
しかし、この場合には、上記空気輸送ライン１から粉粒体２とともに搬送用の空気が伸
縮シュート６の内筒９内側の粉粒体通路１０を経て輸送車両の貯蔵タンク４内へ一旦導か
れることになり、貯蔵タンク４内へ導かれた搬送用の空気は、投入される粉粒体２と置換
される貯蔵タンク４内の空気８と一緒に、内外筒間の空気抜出流路１２を経て空気抜出ラ
イン２２や集塵機２１へ送られるようになる。そのため、上記粉粒体２の搬送用空気をも
通すようにするために、粉粒体通路１０の断面積及び空気抜出流路１２の断面積を大きく
する必要が生じ、この結果、伸縮シュート６の内筒９及び外筒１１の径をそれぞれ太く設
定する必要が生じて伸縮シュート６が大型化するという問題がある。
【００１４】
そこで、本発明は、伸縮シュートを大型化させることなく空気輸送した粉粒体を直接輸
送車両の貯蔵タンクの如き貯蔵タンクへ積み込むことができる空気輸送粉粒体の積込装置
を提供しようとするものである。
【課題を解決するための手段】
【００１５】
本発明は、上記課題を解決するために、粉粒体を通過させて貯蔵タンクへ投入させるよ
うにする粉粒体通路と、該通路の外側に貯蔵タンク内から排出される空気を通過させる空
気抜出流路とを有する伸縮シュートの上端部に、サイクロンの下端の粉粒体出口を接続す
るように設置し、且つ該サイクロンに空気輸送ラインを接続して、粉粒体を搬送用空気よ
り分離して伸縮シュート内を落下させるようにした構成とする。
【００１６】
又、サイクロンに設けた空気排出管を排気ライン上の集塵機に接続し、貯蔵タンク内よ
り搬出される空気とともに搬送用空気を集塵処理するようにした構成とする。
【発明の効果】
【００１７】
本発明の空気輸送粉粒体積込装置によれば、以下の如き優れた効果を発揮する。 
（１）粉粒体を通過させて貯蔵タンクへ投入させるようにする粉粒体通路と、該通路の外
側に貯蔵タンク内から排出される空気を通過させる空気抜出流路とを有する伸縮シュート
の上端部に、サイクロンの下端の粉粒体出口を接続するように設置し、且つ該サイクロン
に空気輸送ラインを接続して、粉粒体を搬送用空気より分離して伸縮シュート内を落下さ
せるようにした構成としてあるので、空気輸送ラインを通して空気輸送される粉粒体は、
サイクロン内にて搬送用空気と分離後に該サイクロンの下端より伸縮シュートの粉粒体通
路へ導かれ、該粉粒体通路を経て上記伸縮シュートの下端側に接続してある貯蔵タンクへ
落下投入させることができる。この際、伸縮シュート内に吹き込まれる空気量は低減され
るため、発塵を防止することができる。 
（２）上記（１）により、貯蔵タンクへの粉粒体積み込み位置の上方に、空気輸送される
粉粒体を一旦貯留するためのタンクを設ける必要をなくすことができる。 
（３）伸縮シュート内を通して貯蔵タンク内へ吹き込まれる空気量の低減に伴い、粉粒体
の空気輸送に供した搬送用空気を流通させることを考慮しなくてよいため、粉粒体通路を
、それぞれ下方の貯蔵タンクへの積み込みを行なう粉粒体量に見合う断面積とし、且つ空
気抜出流路を、上記粉粒体通路を通して貯蔵タンクへ投入される粉粒体と置換される空気
量に見合う断面積とすることができて、伸縮シュートを大型化させる必要をなくすことが
できる。 
（４）サイクロンに設けた空気排出管を排気ライン上の集塵機に接続し、貯蔵タンク内よ
り搬出される空気とともに搬送用空気を集塵処理するようにした構成とすることにより、
貯蔵タンクへ投入される粉粒体と置換される該貯蔵タンク内の空気を、サイクロンまでの
粉粒体の空気輸送に供した搬送用空気と一緒に集塵処理することができる。
【発明を実施するための最良の形態】
【００１８】
以下、本発明を実施するための最良の形態を図面を参照して説明する。
【００１９】
図１は本発明の空気輸送粉粒体積込装置の実施の一形態を示すもので、図２に示したと
同様の構成としてある伸縮シュート６の内筒９の上端部に、粉粒体分離用のサイクロン２
５の下端の粉粒体出口２６を連通接続して、該サイクロン２５の上端部に空気輸送ライン
１を接続し、上記空気輸送ライン１を通して空気輸送される粉粒体２を、上記サイクロン
２５内にて搬送用空気２７と分離させた後、該サイクロン２５の粉粒体出口２６より伸縮
シュート６の内筒９内に形成してある粉粒体通路１０を経て貯蔵タンク４内へ導入させる
ようにする。
【００２０】
詳述すると、上記サイクロン２５は、上端部の周壁に接線方向に接続した空気輸送ライ
ン１より送られて来る粉粒体２と搬送用空気２７とを分離室２８で分離させ、該分離室２
８で分離された空気２７を頂部に貫通させて設けた空気出口としての空気排出管２９より
上方へ排出させるようにし、又、上記分離室２８で分離された粉粒体２を、下端に設けた
粉粒体出口２６に向けて徐々に縮径する円錐部３０内を落下させるようにしてある。
【００２１】
又、上記サイクロン２５の空気排出管２９の上端部は、集塵機３１に排気ライン３２を
介し接続して、サイクロン２５より排出された空気２７を集塵機３１に導くようにする。
上記集塵機３１は、下流側の排気ライン３２を介して集塵ファン３３に接続してあり、該
集塵ファン３３を運転することにより、空気輸送ライン１を通して粉粒体２を搬送させる
搬送用空気２７を誘引通風できるようにしてあり、上記サイクロン２５にて粉粒体２を分
離した後の搬送用空気２７を、上記排気ライン３２を経て集塵機３１へ導いて集塵処理し
た後、クリーンな空気として外部へ排気できるようにする。
【００２２】
更に、伸縮シュート６の外筒１１の上端部に一端側を接続させた空気抜出ライン２２の
他端側を、上記空気排出管２９と集塵機３１とを接続する排気ライン３２の途中位置に接
続し、輸送車両の貯蔵タンク４内で粉粒体２と置換されて上記伸縮シュート６の空気抜出
流路１２へ抜き出される空気８を、空気抜出ライン２２を通して上記排気ライン３２内に
導き、該排気ライン３２を流通する搬送用空気２７と一緒に集塵機３１に導いて集塵処理
できるようにする。
【００２３】
その他の構成は図２に示したものと同様であり、同一のものには同一符号が付してある
。
【００２４】
上記構成としてある本発明の空気輸送粉粒体積込装置を用いて輸送車両の貯蔵タンク４
へ粉粒体２の積み込み作業を行なう場合は、先ず、ウインチ１９にてワイヤ２０を巻き取
ることにより全長を収縮させた状態の伸縮シュート６の下方位置に、輸送車両の貯蔵タン
ク４の投入口４ａを配置させた後、ウインチ１９によるワイヤ２０の巻き出しを行わせて
伸縮シュート６を伸長させて、該伸縮シュート６の下端部に設けてある外筒部材１６を、
上記輸送車両の貯蔵タンク４の投入口４ａに嵌合させる。この状態において、集塵ファン
３３を運転すると、該集塵ファン３３により誘引通風される搬送用空気２７の流れにより
空気輸送ライン１を通して粉粒体２の搬送が行われる。その後、上記空気輸送ライン１内
を搬送用空気２７にて搬送される粉粒体２がサイクロン２５に導かれると、該サイクロン
２５の分離室２８内にて遠心力により搬送用空気２７と粉粒体２は分離され、粉粒体２は
該分離室２８の外周部へ集められて、自重により円錐部３０に沿い落下させられて、粉粒
体出口２６より落下排出される。該サイクロン２５の粉粒体出口２６より排出される粉粒
体２は、その後、伸縮シュート６の内筒９内に形成してある粉粒体通路１０を通して輸送
車両の貯蔵タンク４まで導かれ、投入口４ａより該貯蔵タンク４内へ投入され、これによ
り該貯蔵タンク４への粉粒体２の積み込みが行なわれる。
【００２５】
一方、上記サイクロン２５にて粉粒体２と分離された搬送用空気２７は、空気排出管２
９より排気ライン３２へ排出され、集塵機３１へ導かれて集塵処理されてクリーンな空気
とされた後、外部へ排出される。
【００２６】
上記において、上記輸送車両の貯蔵タンク４への粉粒体２の投入時に、投入される粉粒
体２と置換される上記貯蔵タンク４の空気８は、伸縮シュート６の空気抜出流路１２、空
気抜出ライン２２を経て排気ライン３２へ導かれ、該排気ライン３２を流通して集塵機３
１へ導かれる搬送用空気２７に混入されて、該搬送用空気２７と一緒に集塵機３１にて集
塵処理されてクリーンな空気とされてから外部へ排出される。
【００２７】
このように、本発明の空気輸送粉粒体積込装置によれば、空気輸送ライン１を通して搬
送用空気２７により空気輸送される粉粒体２を、サイクロン２５にて搬送用空気２７と分
離してから伸縮シュート６に直接導くことができ、従来の粉粒体積込装置に要していた如
き粉粒体２を一旦貯留するためのタンク３を不要にできる。このため、粉粒体２の貯蔵部
より遠隔個所であっても、本発明の空気輸送粉体積込装置を設置することにより輸送車両
の貯蔵タンク４への粉粒体２の積み込みを容易に実施することが可能となる。
【００２８】
しかも、上記サイクロン２５にて搬送用空気２７と分離させた後の粉粒体２を伸縮シュ
ート６へ導くようにしてあるため、該伸縮シュート６の粉粒体通路１０や空気抜出流路１
２に対し、上記粉粒体２の空気輸送に供した搬送用空気２７を流通させることを考慮する
必要をなくすことができ、このため上記粉粒体通路１０は、輸送車両の貯蔵タンク４へ積
み込みを行なう粉粒体２の量を通過させるのに見合う断面積とし、又、上記空気抜出流路
１２は、粉粒体２の投入に伴い、投入される粉粒体２と置換される輸送車両の貯蔵タンク
４内の空気８の流量に見合う断面積を確保すればよいため、伸縮シュート６を従来の粉粒
体積込装置で用いていた伸縮シュート６と同様のサイズとすることができて、大型化する
ことを防止できる。
【００２９】
なお、本発明は上記実施の形態のみに限定されるものではなく、空気輸送すると共に、
輸送車両の貯蔵タンク４への積み込みを望む粉粒体２であれば、セメント以外の粉粒体２
の積込作業に適用してもよい。伸縮シュート６を介して粉粒体２を積み込むようにすると
共に、この積み込まれる粉粒体２と置換される空気８の抜き出しを行う必要がある貯蔵タ
ンクであれば、輸送車両の貯蔵タンク４以外の貯蔵タンクへの粉粒体２の積み込み作業に
適用してもよい。伸縮シュート６は、内側に粉粒体通路１０を形成した伸縮自在な内筒９
と、該内筒９との間にて空気抜出流路１２を形成でき且つ上記内筒９の伸縮に追従して伸
縮できるようにした外筒１１とからなる二重筒構造としてあれば、ワイヤ１５に吊られた
コーン型の円筒体１３同士の間隔を変化させることで全長を伸縮できるようにした形式の
内筒９に代えて、図３に示したように、順次径の異なる多数の円筒２４を、内外方向に隣
接する円筒２４同士を順次軸心方向へスライドさせることにより全長を伸縮できるように
したテレスコピック形式の内筒９ａ等を採用するようにしてもよく、又、外筒１１もテレ
スコピック形式とする等、ベローズ以外の形式の外筒を採用してもよい。伸縮シュート６
の内筒９及び外筒１１の断面形状は、楕円、矩形、多角形等、円形以外の形状としてもよ
いこと、その他本発明の要旨を逸脱しない範囲内において種々変更を加え得ることは勿論
である。
【図面の簡単な説明】
【００３０】
【図１】本発明の空気輸送粉粒体積込装置の実施の一形態を示す概略切断側面図である。
【図２】従来用いられている粉粒体積込装置の一例を示す概略切断側面図である。
【図３】従来用いられている他の形式の伸縮シュートを示す概略切断側面図である。
【符号の説明】
【００３１】
１  空気輸送ライン
２  粉粒体
６  伸縮シュート
９，９ａ  内筒
１０  粉粒体通路
１１  外筒
１２  空気抜出流路
２２  空気抜出ライン
２５  サイクロン
２６  粉粒体出口
２７  搬送用空気
２９  空気排出管
３１  集塵機
３２  排気ライン
【図１】
2005104696.tif 000003
【図２】
2005104696.tif 000004
【図３】
2005104696.tif 000005